(57)【要約】      （修正有）【課題】ラックカバーに着脱自在に取り付けることができ、特にラックカバーからの取り外しを効率良く行うことができ、工事期間を短くすることのできるラックカバー調整部材を提供する。【解決手段】ケーブルや配管などを支持するラックに被せられるラックカバーの端部に取り付けられるラックカバー調整部材１０であって、ラックカバー調整部材１０は、板状本体部１２と、板状本体部１２の下面１４に突設された係止爪２０と、を備えており、係止爪２０と板状本体部１２の下面１４との間にラックカバーの端部を嵌入させることにより、ラックカバーの端部に着脱自在に取り付けられるよう構成されている。【選択図】図１
0003198020.tif 000002
【実用新案登録請求の範囲】
【請求項１】
ケーブルや配管などを支持するラックに被せられるラックカバーの端部に取り付けられるラックカバー調整部材であって、
前記ラックカバー調整部材は、
板状本体部と、
前記板状本体部の下面に突設された係止爪と、
を備えており、
前記係止爪と前記板状本体部の下面との間に前記ラックカバーの端部を嵌入させることにより、前記ラックカバーの端部に着脱自在に取り付けられるよう構成されていることを特徴とするラックカバー調整部材。
【請求項２】
前記係止爪が、
前記板状本体部の下面から垂下された垂下部と、
前記垂下部の端部から略水平方向に延設された延設部と、を少なくとも備えてなり、
前記延設部と前記板状本体部の下面との間に前記ラックカバーの端部を嵌入させるよう構成されていることを特徴とする請求項１に記載のラックカバー調整部材。
【請求項３】
前記係止爪が、前記板状本体部の下面に複数並設されていることを特徴とする請求項１または２に記載のラックカバー調整部材。
【請求項４】
前記複数の係止爪は、
前記延設部の延設方向が前記板状本体部の一方側端部に向かって揃えられた一方側集合体であることを特徴とする請求項３に記載のラックカバー調整部材。
【請求項５】
前記複数の係止爪は、
前記延設部の延設方向が、前記板状本体部の一方側端部に向かって揃えられた一方側集合体と、
前記延設部の延設方向が、前記板状本体部の他方側端部に向かって揃えられた他方側集合体と、からなり、
前記一方側集合体と他方側集合体とが並設されており、
前記板状本体部の一方側端部側に、前記一方側集合体が位置し、
前記板状本体部の他方側端部側に、前記他方側集合体が位置するよう構成されていることを特徴とする請求項３に記載のラックカバー調整部材。
【請求項６】
前記板状本体部の下面および／または上面には、
前記一方側集合体と他方側集合体との間に、折り曲げ加工線が設けられていることを特徴とする請求項５に記載のラックカバー調整部材。
【請求項７】
前記板状本体部には、
前記一方側集合体と他方側集合体との間に、スリットが設けられていることを特徴とする請求項５または６に記載のラックカバー調整部材。
【請求項８】
前記板状本体部は、前記ラックカバーの縦断面の形状と略同じ断面形状を有することを特徴とする請求項１〜７のいずれかに記載のラックカバー調整部材。
【考案の詳細な説明】
【技術分野】
【０００１】
本考案は、ケーブルや配管などを支持するラックに被せられるラックカバーの端部に取り付けられるラックカバー調整部材に関する。
【背景技術】
【０００２】
従来より、ケーブルや配管などを支持する際にはラックが用いられている。
このようなラック１００は、図１４に示したように、ラック１００上にラックカバー１０２が装着されており、ラック１００の形状に合わせていろいろな形状のラックカバー１０２が複数用いられている（例えば特許文献１，２）。
【０００３】
ラックカバー１０２は、ケーブルや配管の遮蔽，保護または見栄えを良くするためなどの目的で用いられるものであり、例えば金属製の板をラック１００の幅に合わせて曲げ加工し、ラック１００上に嵌合されるようになっている。図１４中、符号１０４は、断面略へ字状で屋根型の本体部、符号１０６は、本体部１０４の左右の端部より下方に延設され、ラック１００上に嵌合させるための嵌合部である。
【０００４】
そして、ラック１００にラックカバー１０２を装着する際には、ラックカバー１０２の一方側端部、または隣接するラックカバー１０２とラックカバー１０２との間などに、例えば板状のラックカバー調整部材１１０を取り付けている。なお、ラックカバー調整部材１１０をラックカバー１０２に取り付ける際には、溶接やリベットによる締結がなされている。
【先行技術文献】
【特許文献】
【０００５】
【特許文献１】特開２００２−３５４６２３号公報
【特許文献２】特開２００４−１７３３４４号公報
【考案の概要】
【考案が解決しようとする課題】
【０００６】
ところで、設計変更などによってラックカバー１０２とラックカバー１０２との間を広げるような場合には、まずラックカバー１０２からラックカバー調整部材１１０を取り外す必要がある。
【０００７】
しかしながら、溶接やリベットによってラックカバー１０２と一体化されたラックカバー調整部材１１０をラックカバー１０２から取り外す作業は、非常に煩雑であり、実際には新たな大きさのラックカバー１０２を製作し、これを再度ラック１００上に装着している場合が多い。したがって設計変更などの作業の際に要する工事期間が長引いてしまっているのが実情である。
【０００８】
このため、ラックカバー１０２から簡単に取り外すことができ、作業を効率良く行うことができ、工事期間を短くすることのできるラックカバー調整部材１１０の開発が望まれている。
【０００９】
本考案はこのような実情に鑑みなされたものであって、ラックカバーに着脱自在に取り付けることができ、特にラックカバーからの取り外しを効率良く行うことができ、工事期間を短くすることのできるラックカバー調整部材を提供することを目的とする。
【課題を解決するための手段】
【００１０】
本考案は、前述したような従来技術における問題点を解決するために考案されたものであって、
本考案のラックカバー調整部材は、
ケーブルや配管などを支持するラックに被せられるラックカバーの端部に取り付けられるラックカバー調整部材であって、
前記ラックカバー調整部材は、
板状本体部と、
前記板状本体部の下面に突設された係止爪と、
を備えており、
前記係止爪と前記板状本体部の下面との間に前記ラックカバーの端部を嵌入させることにより、前記ラックカバーの端部に着脱自在に取り付けられるよう構成されていることを特徴とする。
【００１１】
このように構成されていれば、ラックカバーの端部に簡単でしかも確実にラックカバー調整部材を取り付けることができ、さらに取り外しも簡単に行うことができ、工事期間を短くすることができる。
【００１２】
したがって、従来行っていたようなラックの設計変更時などにおけるラックカバーの再製作を行う必要がなく、またラックカバーとラックカバーとの間を広げる場合には、ラックカバー調整部材の大きさでこの間隔の調整ができ、しかもラックカバーをそのまま再利用することができ、作業を効率化させることができる。
【００１３】
また、本考案のラックカバー調整部材は、
前記係止爪が、
前記板状本体部の下面から垂下された垂下部と、
前記垂下部の端部から略水平方向に延設された延設部と、を少なくとも備えてなり、
前記延設部と前記板状本体部の下面との間に前記ラックカバーの端部を嵌入させるよう構成されていることを特徴とする。
このように係止爪が構成されていれば、ラックカバー調整部材を確実にラックカバーの端部に着脱自在に取り付けることができる。
【００１４】
また、本考案のラックカバー調整部材は、
前記係止爪が、前記板状本体部の下面に複数並設されていることを特徴とする。
このように係止爪が複数並設されていれば、ラックカバーの端部に確実にラックカバー調整部材を取り付けることができる。
【００１５】
また、本考案のラックカバー調整部材は、
前記複数の係止爪は、
前記延設部の延設方向が前記板状本体部の一方側端部に向かって揃えられた一方側集合体であることを特徴とする。
このように一方側集合体であれば、ラックカバーの端部に確実にラックカバー調整部材を取り付けることができる。
【００１６】
また、本考案のラックカバー調整部材は、
前記複数の係止爪は、
前記延設部の延設方向が、前記板状本体部の一方側端部に向かって揃えられた一方側集合体と、
前記延設部の延設方向が、前記板状本体部の他方側端部に向かって揃えられた他方側集合体と、からなり、
前記一方側集合体と他方側集合体とが並設されており、
前記板状本体部の一方側端部側に、前記一方側集合体が位置し、
前記板状本体部の他方側端部側に、前記他方側集合体が位置するよう構成されていることを特徴とする。
このように一方向集合体と他方向集合体とであれば、ラックカバーとラックカバーの間に、本考案のラックカバー調整部材を確実に取り付けることができる。
【００１７】
また、本考案のラックカバー調整部材は、
前記板状本体部の下面および／または上面には、
前記一方側集合体と他方側集合体との間に、折り曲げ加工線が設けられていることを特徴とする。
【００１８】
このように折り曲げ加工線が設けられていれば、ラックカバーとラックカバーとの間に傾斜や段差が生じていても、この折り曲げ加工線を介してラックカバー調整部材を折り曲げることで、ラックカバーとラックカバーとの間に確実にラックカバー調整部材を取り付けることができる。
【００１９】
また、本考案のラックカバー調整部材は、
前記板状本体部には、
前記一方側集合体と他方側集合体との間に、スリットが設けられていることを特徴とする。
【００２０】
このようにスリットが設けられていれば、ラックカバーとラックカバーとの間に傾斜や段差が生じていても、このスリットを介してラックカバー調整部材を折り曲げることで、ラックカバーとラックカバーとの間に確実にラックカバー調整部材を取り付けることができる。
【００２１】
また、本考案のラックカバー調整部材は、
前記板状本体部は、前記ラックカバーの縦断面の形状と略同じ断面形状を有することを特徴とする。
このような縦断面形状であれば、ラックカバーに対して確実にラックカバー調整部材を取り付けることができる。
【考案の効果】
【００２２】
本考案によれば、板状本体部に係止爪を設けることにより、ラックカバーに着脱自在に取り付けることができ、特にラックカバーからの取り外しを効率良く行うことができ、工事期間を短くすることのできるラックカバー調整部材を提供することができる。
【図面の簡単な説明】
【００２３】
【図１】図１（ａ）は本考案のラックカバー調整部材の一実施形態における正面図、図１（ｂ）は図１（ａ）の右側面図である。
【図２】図２は、図１（ａ）に示したラックカバー調整部材のＡ−Ａ線における断面図である。
【図３】図３は、本考案の他の実施形態におけるラックカバー調整部材の断面図である。
【図４】図４は、本考案のラックカバー調整部材をラックカバーに取り付けた状態を示した説明図である。
【図５】図５は、図４に示した説明図のＢ−Ｂ線における部分断面図である。
【図６】図６（ａ）は本考案のラックカバー調整部材の他の実施形態における正面図、図６（ｂ）は図６（ａ）の右側面図である。
【図７】図７（ａ）は本考案のラックカバー調整部材の他の実施形態における正面図、図７（ｂ）は図７（ａ）の右側面図である。
【図８】図８は、図７（ａ）に示したラックカバー調整部材のＣ−Ｃ線における断面図である。
【図９】図９は、本考案のラックカバー調整部材をラックカバーとラックカバーの間に取り付けた状態を示した説明図である。
【図１０】図１０は、図９に示した説明図のＤ−Ｄ線における部分断面図である。
【図１１】図１１（ａ）は折り曲げ加工線が形成されたラックカバー調整部材の正面図、図１１（ｂ）はスリットが形成されたラックカバー調整部材の正面図、図１１（ｃ）は折り曲げ加工線とスリットの両方が形成されたラックカバー調整部材の正面図である。
【図１２】図１２は、本考案のラックカバー調整部材を角度をなして設けられたラックカバーとラックカバーの間に取り付けた状態を示した説明図である。
【図１３】図１３（ａ）は本考案のラックカバー調整部材の他の実施形態における正面図、図１３（ｂ）は図１３（ａ）の右側面図である。
【図１４】図１４は、従来のラックカバー調整部材の使用状況を説明するための説明図である。
【考案を実施するための形態】
【００２４】
以下、本考案の実施の形態について、図面に基づいてより詳細に説明する。
本考案のラックカバー調整部材は、例えばケーブルや配管などを支持するラックに被せられるラックカバーの端部に取り付けられるものである。
【００２５】
図１（ａ）および図１（ｂ）に示したように、本考案の一実施形態に係るラックカバー調整部材１０は、板状本体部１２と、この板状本体部１２の下面１４に突設された複数の係止爪２０と、を備えている。なお、板状本体部１２の上端部１２ｃと下端部１２ｄに設けられた剛性部８は、ラックカバー調整部材１０の剛性を高めるための部位である。この剛性部８は、板状本体部の一方側端部１２ａから他方側端部１２ｂに至るまで形成されているが、これに限定されるものではなく、必要とする箇所のみ部分的に形成されていても良いものである。
【００２６】
そして複数の係止爪２０は、後述する延設部２４の延設方向が、板状本体部１２の一方側端部１２ａに向かって延設部２４の延設方向が揃えられた一方側集合体３０からなり、これらの一方側集合体３０が、板状本体部１２の下面１４に設けられている。
【００２７】
また係止爪２０は、図２に示したように、板状本体部１２の下面１４から垂下された垂下部２２と、この垂下部２２の端部から略水平方向に延設された延設部２４と、を備えている。
【００２８】
図２に示した延設部２４では、途中に屈曲部２６を有しているが、垂下部２２からまっすぐ水平方向に伸びるような形態であっても構わないものである。
また垂下部２２については、板状本体部１２から下方に突出して、延設部２４と板状本体部１２との間に隙間を生じさせるための役目をなせば、如何なる形態であっても良く、例えば図２に示したような、板状本体部１２から略垂直に伸びる垂下部２２に限定されるものではなく、板状本体部１２から斜め下方に伸びる垂下部２２とするなどしても良いものである。
【００２９】
このような係止爪２０は、板状本体部１２の下面１４にどのようにして設けても良いものであるが、例えば板状本体部１２に対してプレス加工で部分的に打ち抜き加工を行い、これと同時に打ち抜いた部分を変形させることで製造が可能である。
【００３０】
このような製造方法であれば、ラックカバー調整部材１０の部品点数を増やすことなく、また板状本体部１２への係止爪２０の取付け作業も発生せず、製造コストを抑えることができる。
【００３１】
なお場合によっては、図３に示したように、板状本体部１２とは別に係止爪２０を製造しておき、これを板状本体部１２に対して溶接やリベットで固定するなどしても良く、必要に応じて製造方法を選択すれば良いものである。
【００３２】
このようにして構成されるラックカバー調整部材１０をラックカバー４０とラックカバー４２との間に取り付ける際には、図４および図５に示したように、ラックカバー調整部材１０の一方側端部１２ａ側に位置する一方側集合体３０の係止爪２０の延設部２４と板状本体部１２の下面１４との間に、一方側のラックカバー４０の端部を嵌入する。この際、延設部２４の途中に形成された屈曲部２６がラックカバー４０を板状本体部１２の下面１４に向かって付勢することとなる。これにより、ラックカバー調整部材１０が、ラックカバー４０に取り付けられる。
【００３３】
なお、図４および図５に示したラックカバー４０は、平板状の本体部５０を備え、この本体部５０の上下の端部より下方に向かって、ラック１００上に嵌合させるための嵌合部５２が設けられたものである。
【００３４】
そしてこのラックカバー４０にラックカバー調整部材１０が取り付けられた合体構造体を、ラック（図示せず）上に被せ、従来と同じようにラックカバー４０の部分をラックに固定すれば、ラック上への、ラックカバー４０とラックカバー調整部材１０の施工作業が完了となる。
【００３５】
このように、本考案のラックカバー調整部材１０は、ラックカバー４０に着脱自在に取り付けることができ、特にラックカバー４０からの取り外しを効率良く行うことができ、工事期間を短くすることのできるものである。
【００３６】
なお、図１に示したラックカバー調整部材１０は、天面が平板状のラックカバー４０に取り付けられるよう、平板状のラックカバー４０の縦断面形状と略同じ断面形状をしているが、他にも断面へ字状の屋根型のラックカバー４０に取り付け可能なよう、図６（ａ）および図６（ｂ）に示したような、断面へ字状のラックカバー４０の縦断面形状と略同じ断面形状を有するラックカバー調整部材１０としても良いものである。
【００３７】
要は、板状本体部１２を、ラックカバー４０の縦断面の形状と略同じ断面形状とすれば、如何なる形状であっても構わないものである。
次に、本考案のラックカバー調整部材１０の別の実施形態について説明する。
【００３８】
図７および図８に示したラックカバー調整部材１０は、基本的には、図１〜図６に示した実施形態のラックカバー調整部材１０と同じ構成であるので、同じ構成部材には、同じ参照番号を付してその詳細な説明を省略する。
【００３９】
図７および図８に示したラックカバー調整部材１０は、複数の係止爪２０において、延設部２４の延設方向が、板状本体部１２の一方側端部１２ａに向かって延設部２４の延設方向が揃えられた一方側集合体３０と、板状本体部１２の他方側端部１２ｂに向かって延設部２４の延設方向が揃えられた他方側集合体３２の２種類からなる点で、図１〜図６に示した実施形態のラックカバー調整部材１０と異なっている。
【００４０】
この係止爪２０は、板状本体部１２の一方側端部１２ａ側に一方側集合体３０が位置し、板状本体部１２の他方側端部１２ｂ側に、他方側集合体３２が位置している。
このようにして構成されるラックカバー調整部材１０をラックカバー４０とラックカバー４２との間に取り付ける際には、図９および図１０に示したように、まずラックカバー調整部材１０の一方側端部１２ａ側に位置する一方側集合体３０の係止爪２０の延設部２４と板状本体部１２の下面１４との間に、一方側のラックカバー４０の端部を嵌入する。この際、延設部２４の途中に形成された屈曲部２６がラックカバー４０を板状本体部１２の下面１４に向かって付勢することとなる。
【００４１】
次いでラックカバー調整部材１０の他方側端部１２ｂ側に位置する他方側集合体３２の係止爪２０の延設部２４と板状本体部１２の下面１４との間に、他方側のラックカバー４２の端部を嵌入する。この際にも、延設部２４の途中に形成された屈曲部２６がラックカバー４２を板状本体部１２の下面１４に向かって付勢することとなる。
【００４２】
これにより、ラックカバー調整部材１０が、ラックカバー４０とラックカバー４２との間に取り付けられる。
なお本実施形態のラックカバー調整部材１０は、図１１（ａ）に示したように、板状本体部１２の上面および／または下面１４には、一方側集合体３０と他方側集合体３２との間に、折り曲げ加工線１６が設けられていても良いものである。
【００４３】
このように折り曲げ加工線１６を有した場合には、例えば図１２に示したようなラックカバー４０とラックカバー４２との間に傾斜が生じていたり、段差（図示せず）が生じていた場合でも、この折り曲げ加工線１６を介してラックカバー調整部材１０を折り曲げることで、ラックカバー４０とラックカバー４２との間に確実にラックカバー調整部材１０を取り付けることができる。なお、本実施形態では折り曲げ加工線１６は１本のみであるが、複数本形成しても良いものである。
【００４４】
さらにこの折り曲げ加工線１６と同様の作用を生じさせるため、図１１（ｂ）に示したように、スリット１８を設けても良く、さらには図１１（ｃ）に示したように、折り曲げ加工線１６とスリット１８とを併用しても良いものである。
【００４５】
以上、本考案のラックカバー調整部材１０について説明したが、本考案は上記実施形態に限定されるものではなく、例えば図１３に示したような、一方側集合体３０と他方側集合体３２を有する断面へ字状の屋根型のラックカバー調整部材１０としたり、さらには図１３に示した断面へ字状の屋根型のラックカバー調整部材１０に、図１１に示したような折り曲げ加工線１６やスリット１８を設けても良いものである。
【００４６】
さらに、本実施形態のラックカバー調整部材１０では、板状本体部１２の上端部１２ｃおよび下端部１２ｄに剛性部８を有しているが、この剛性部がなくても良いものである。
またラックカバー調整部材１０が取付けられるラックカバー４０，４２は、ケーブルや配管などを支持するラックに被せられるものであるが、これに限定されるものではなく、例えば建設・設備関係で用いられるようなラックに被せられるものであっても良いものであって、本考案を逸脱しない範囲で種々の変更が可能なものである。
【符号の説明】
【００４７】
８・・・剛性部
１０・・・ラックカバー調整部材
１２・・・板状本体部
１２ａ・・一方側端部
１２ｂ・・他方側端部
１２ｃ・・上端部
１２ｄ・・下端部
１４・・・下面
１６・・・加工線
１８・・・スリット
２０・・・係止爪
２２・・・垂下部
２４・・・延設部
２６・・・屈曲部
３０・・・一方側集合体
３２・・・他方側集合体
４０・・・ラックカバー
４２・・・ラックカバー
５０・・・本体部
５２・・・嵌合部
１００・・・ラック
１０２・・・ラックカバー
１０４・・・本体部
１０６・・・嵌合部
１１０・・・ラックカバー調整部材
【図１】
0003198020.tif 000003
【図２】
0003198020.tif 000004
【図３】
0003198020.tif 000005
【図４】
0003198020.tif 000006
【図５】
0003198020.tif 000007
【図６】
0003198020.tif 000008
【図７】
0003198020.tif 000009
【図８】
0003198020.tif 000010
【図９】
0003198020.tif 000011
【図１０】
0003198020.tif 000012
【図１１】
0003198020.tif 000013
【図１２】
0003198020.tif 000014
【図１３】
0003198020.tif 000015
【図１４】
0003198020.tif 000016